(57)【要約】【課題】粒状菓子によって装飾性のある図柄を形成して持ち歩くことのできる粒状菓子ケースの提供を目的とする。【解決手段】複数色の粒状菓子を収容する粒状菓子ケース１に、粒状菓子を板上に整列配置可能な基板部１０と、透明なカバー板部２０とを配設する。そして、基板部１０上に配置される粒状菓子を挟むようにカバー板部２０を基板部１０と正対させて、粒状菓子を基板部１０上に保持する閉鎖状態と、カバー板部２０を基板部１０の正面側から退避させて、基板部１０上に粒状菓子を配置可能に、かつ、基板部１０上の粒状菓子を取出可能とする開放状態とに変換可能に構成する。【選択図】図１
0003189567.tif 000002
【実用新案登録請求の範囲】
【請求項１】
複数色の粒状菓子を収容する粒状菓子ケースであって、
粒状菓子を板上に整列配置可能な基板部と、透明なカバー板部とを備え、
基板部上に配置される粒状菓子を挟むようにカバー板部を基板部と正対させて、粒状菓子を基板部上に保持する閉鎖状態と、
カバー板部を基板部の正面側から退避させて、基板部上に粒状菓子を配置可能とし、かつ、基板部上に配置された粒状菓子を取出可能とする開放状態と
に変換可能に構成されたことを特徴とする粒状菓子ケース。
【請求項２】
カバー板部は、基板部と間隔をおいて平行配置されて、基板部との前記間隔を保ったまま移動することにより、基板部と正対する閉鎖位置と、基板部の正面側から退避する開放位置とに変換可能となっており、
前記閉鎖状態は、カバー板部が閉鎖位置にある状態であり、前記開放状態は、カバー板部が開放位置にある状態であることを特徴とする請求項１に記載の粒状菓子ケース。
【請求項３】
粒状菓子は球形状であり、
基板部上には、粒状菓子を六方充填配置状に整列配置させ得る凹部が形成されていることを特徴とする請求項１又は請求項２に記載の粒状菓子ケース。
【請求項４】
基板部は透明であることを特徴とする請求項１乃至請求項３のいずれか１項に記載の粒状菓子ケース。
【請求項５】
請求項４に記載の粒状菓子ケースと、
該粒状菓子ケースの基板部上に整列配置すべき粒状菓子の配色パターンを示す下絵が描かれた下絵シートと
を備えることを特徴とする粒状菓子ケースセット。
【考案の詳細な説明】
【技術分野】
【０００１】
本考案は、粒状菓子を収容して持ち運ぶための粒状菓子ケースに関する。
【背景技術】
【０００２】
図柄を描くように複数色の樹脂製ビーズを配置し、隣り合うビーズを互いに溶着させて、前記図柄の溶着ビーズを作製する玩具が知られている（例えば、特許文献１）。かかる玩具によって作製された溶着ビーズは、ストラップを取り付けてカバンや携帯電話等の装飾具として使用されることが多い。かかる玩具は、子供の創作意欲を刺激するものであるが、製作する溶着ビーズは装飾具にすぎず、食べることはできない。
【０００３】
一方、様々な色で着色された複数の粒状菓子が袋やケースに収容された状態で販売されている。こうした粒状菓子を収容するケースには、ケース内の粒状菓子を視認可能としたものがある（例えば、特許文献２，３）。しかしながら、これらのケースは、粒状菓子を無秩序に収容するものであり、多様な色の粒状菓子がケースに収容されていても、上記溶着ビーズほどの装飾性はない。
【先行技術文献】
【特許文献】
【０００４】
【特許文献１】実用新案登録第３１３１２９２号公報
【特許文献２】特開平７−２５７５５７
【特許文献３】実用新案登録第３１０４６５２号公報
【考案の概要】
【考案が解決しようとする課題】
【０００５】
本考案は、上記現状に鑑みて為されたものであり、粒状菓子によって装飾性のある図柄を形成して持ち歩くことのできる粒状菓子ケースの提供を目的とする。
【課題を解決するための手段】
【０００６】
本考案は、複数色の粒状菓子を収容する粒状菓子ケースであって、粒状菓子を板上に整列配置可能な基板部と、透明なカバー板部とを備え、基板部上に配置される粒状菓子を挟むようにカバー板部を基板部と正対させて、粒状菓子を基板部上に保持する閉鎖状態と、カバー板部を基板部の正面側から退避させて、基板部上に粒状菓子を配置可能とし、かつ、基板部上に配置された粒状菓子を取出可能とする開放状態とに変換可能に構成されたことを特徴とする粒状菓子ケースである。
【０００７】
かかる粒状菓子ケースでは、開放状態で、基板部の上に、図柄（絵柄、文字、記号など）を描くように粒状菓子を整列配置し、しかる後に、閉鎖状態にすれば、描いた図柄を保持したまま粒状菓子を持ち歩くことができる。ここで、粒状菓子によって描かれた図柄は透明なカバー板部を介して視認できるため、かかる粒状菓子ケースは、カバンや携帯電話にぶら下げれば、上記溶着ビーズと同様に装飾具として用いることができる。また、図柄を形成した粒状菓子は、当然ながらケースから取り出して食べることができるため、“食べられる装飾具”という溶着ビーズにはない面白みがある。また、本考案の粒状菓子ケースは、子供等が自分で粒状菓子を並べて所望の図柄を製作するという玩具として用いることもできる。また、粒状菓子を本考案の粒状菓子ケースに入れて販売すれば、複数色の粒状菓子を袋やケースに無秩序に詰めて販売する場合に比べて、粒状菓子の描く図柄によって、意匠性を向上させることができる。
【０００８】
なお、本考案に係る粒状菓子は、二種類以上の色で着色される粒状の菓子であれば、その他の構成は何ら限定されるものではない。粒状菓子の具体例としては、砂糖コーティングしたチョコレート菓子、飴、ラムネ菓子、ゼリービーンズ、ガム、ミントなどが挙げられる。また、粒状菓子の形状は、球形状には限定されず、キャラメルのような直方体状であってもよいし、金平糖のような角のある形状でもよい。また、ゼリービーンズのような豆形状でも構わない。
【０００９】
本考案にあって、カバー板部は、基板部と間隔をおいて平行配置されて、基板部との前記間隔を保ったまま移動することにより、基板部と正対する閉鎖位置と、基板部の正面側から退避する開放位置とに変換可能となっており、前記閉鎖状態は、カバー板部が閉鎖位置にある状態であり、前記開放状態は、カバー板部が開放位置にある状態であることが提案される。
【００１０】
かかる構成にあっては、カバー板部を閉鎖位置と開放位置の間に位置させれば、カバー板部が基板部の正面側から退避した部分では粒状菓子を取出し可能となり、基板部とカバー板部が対向する部分では粒状菓子が保持されることとなるため、粒状菓子の一部を基板部上に保持したまま、残りの粒状菓子を取り出すことが可能となる。このため、かかる構成によれば、粒状菓子で描いた図柄全体が損なわれないよう保持しながら、粒状菓子ケースから粒状菓子を少しずつ取り出すことが可能となる。
【００１１】
また、本考案にあって、粒状菓子は球形状であり、基板部上には、粒状菓子を六方充填配置状に整列配置させ得る凹部が形成されていることが提案される。
【００１２】
かかる構成にあっては、粒状菓子を基板部の上に緊密に配置できるから、粒状菓子によって、より意匠性の高い図柄を描くことが可能となる。
【００１３】
また、本考案にあって、基板部は透明であることが提案される。
【００１４】
かかる構成にあっては、基板部の裏側を透かし見ることが可能となるため、基板部上に粒状菓子を整列配置する際に、基板部の裏側に、配置すべき粒状菓子の配色パターンを示す下絵をおいて、該下絵を参照して粒状菓子を並べていくことが可能となる。このように下絵を参照して粒状菓子を並べるようにすれば、粒状菓子の置き間違えを減らすことができ、また、同じ図柄を繰り返し描くことが容易となる。
【００１５】
また、本考案の別の態様は、上記粒状菓子ケースと、該粒状菓子ケースの基板部上に整列配置すべき粒状菓子の配色パターンを示す下絵が描かれた下絵シートとを備えることを特徴とする粒状菓子ケースセットである。
【００１６】
かかる構成にあっては、予め用意された下絵シートを参照して、基板部上に粒状菓子を並べるだけで、所望の図柄を粒状菓子によって描くことが可能となるため、比較的低年齢の子供でも、粒状菓子によって、意匠性の高い図柄を描くことが可能となる。したがって、かかる粒状菓子ケースセットは、玩具としての有用性が高いものとなる。
【考案の効果】
【００１７】
以上に述べたように、本考案の粒状菓子ケースは、収容する粒状菓子によって装飾性のある図柄を描いて、該図柄を視認可能な状態で持ち歩くことができるものである。したがって、かかる粒状菓子ケースは、粒状菓子を収容することで装飾具として使用できる。また、子供等が、粒状菓子ケースに粒状菓子を並べて所望の図柄を描く玩具としても使用できる。また、本考案の粒状菓子ケースは、図柄を描くように粒状菓子を収容すれば、既存の袋やケースに収容された粒状菓子に比べて意匠性が高くなり、顧客吸引力が向上すると考えられるため、販売用の粒状菓子のパッケージとしても有用性が高い。
【図面の簡単な説明】
【００１８】
【図１】実施例の粒状菓子ケース１の斜視図であり、（ａ）は閉鎖状態を示し、（ｂ）は開放状態を示す。
【図２】実施例の粒状菓子ケース１の正面図であり、（ａ）は閉鎖状態を示し、（ｂ）は開放状態を示す。
【図３】実施例の粒状菓子ケース１の縦断側面図であり、（ａ）は閉鎖状態を示し、（ｂ）は開放状態を示す。
【図４】下絵シート３０の使用方法を示す説明図である。
【図５】図４から続く、粒状菓子Ｃの使用方法を示す説明図である。
【図６】粒状菓子ケース１を持ち運ぶときの状態を示す説明図である。
【図７】粒状菓子ケース１から粒状菓子Ｃを取り出す方法を示す説明図である。
【考案を実施するための形態】
【００１９】
本考案の実施形態を、以下の実施例に従って説明する。
【００２０】
本実施例の粒状菓子ケース１は、赤色、緑色、白色など様々な色で着色された球形状の粒状菓子を多数収容するものである。図１，２に示すように、本実施例の粒状菓子ケース１は、矩形板状をなすものであり、ベース体２と、該ベース体２に摺動可能に組み付けられたカバー体３とによって構成される。なお、以下の説明では、図２中の正面を、粒状菓子ケース１の正面とし、図２中の上方を、粒状菓子ケース１の上方として説明する。
【００２１】
ベース体２は、硬質の透明樹脂材料によって構成される。図１〜３に示すように、ベース体２は、略正方形板状の基板部１０と、該基板部１０の周縁から正面側に直角に延出する側壁部１１ａ，１１ｂ，１１ｃ，１１ｄとを備えてなり、基板部１０を底部とする浅底の収容部１２を形成している。基板部１０の表面には、粒状菓子Ｃを板上に保持するための凹部１３が多数形成される。凹部１３は、粒状菓子Ｃの８割程度の径を有する円柱状の窪みである。凹部１３は、基板部１０の略全面に六方充填配置状に形成されており、粒状菓子Ｃの一部を凹部１３に内嵌させることにより、基板部１０の上に粒状菓子Ｃを六方充填配置状に整列配置し得るよう構成されている。
【００２２】
また、図１〜３に示すように、ベース体２の上側の側壁部１１ａには、カバー体３と係合する係合部１４が中央部に形成される。また、同側壁部１１ａの左側部には、図２に示すように、ストラップ３５（図６参照）を取り付けるストラップ用貫通孔１６が形成される。また、ベース体２の左右両側の側壁部１１ｂ，１１ｃには、外側面に上下方向に沿った摺動溝１５，１５が形成される。
【００２３】
カバー体３は、ベース体２と同じ硬質の透明樹脂材料で構成される。図１〜３に示すように、カバー体３は、略正方形状をなすカバー板部２０と、該カバー板部２０の左右両側縁から背面側に直角に延出する案内板部２１ａ，２１ｂとからなる伏コ字状をなしている。
【００２４】
案内板部２１ａ，２１ｂは、図１，２に示すように、ベース体２の左右の側壁部１１ｂ，１１ｃの外側に当接するよう構成される。各案内板部２１ａ，２１ｂは、下部内側面に、ベース体２の側壁部１１ｂ，１１ｃの摺動溝１５，１５に内嵌する摺動突起２２，２２を備えており、摺動突起２２を摺動溝１５に沿って移動させることにより、ベース体２に対して上下方向に摺動し得るよう組み付けられている。
【００２５】
カバー板部２０は、図１〜３に示すように、基板部１０と略大の正方形板状をなしており、基板部１０と間隔をおいて平行に配置される。カバー板部２０は、カバー体３のベース体２に対する摺動に伴って、基板部１０との間隔を保ったまま上下に移動するよう構成されており、ベース体２に対してカバー体３を下方に摺動させると、カバー板部２０が基板部１０と正対する閉鎖位置αとなり、ベース体２に対してカバー体３を上方に摺動させると、カバー板部２０が、基板部１０の正面側から上方に退避する開放位置βとなるよう構成される。ここで、カバー板部２０の閉鎖位置αでは、図３（ａ）に示すように、基板部１０の上に整列配置される粒状菓子Ｃが、基板部１０とカバー板部２０に挟まれて、凹部１３から脱落不能となる。すなわち、カバー板部２０を閉鎖位置αに位置させることで、粒状菓子ケース１は、粒状菓子Ｃを基板部１０上に保持する閉鎖状態となる。一方、カバー板部２０の開放位置βでは、図３（ｂ）に示すように、カバー板部２０が基板部１０の正面側から退避することで、収容部１２が開放される。すなわち、カバー板部２０を開放位置βに位置させることで、粒状菓子ケース１は、粒状菓子Ｃを基板部１０の上に配置可能で、かつ、基板部１０の上に配置した粒状菓子Ｃを取出し可能な開放状態となる。
【００２６】
また、図１〜３に示すように、カバー板部２０の上部中央には、ベース体２の係合部１４と係合する係合部２３が形成される。ベース体２とカバー体３の係合部１４，２３は、粒状菓子ケース１の閉鎖状態で相互に係合して、粒状菓子ケース１が閉鎖状態に保持されるようにカバー体３をベース体２に係止する。
【００２７】
次に、上記粒状菓子ケース１の使用方法について説明する。
粒状菓子ケース１の開放状態では、粒状菓子Ｃを指やピンセットで摘まんで、基板部１０の所要位置に所要の色の粒状菓子Ｃを配置することにより、粒状菓子Ｃによって基板部１０上に様々な図柄を描くことができる。ここで、図４に示すように、本実施例の粒状菓子ケース１には、下絵シート３０が付属しており、粒状菓子Ｃで図柄を描く際には、かかる下絵シート３０を使用することができる。
【００２８】
下絵シート３０は、図４に示すように、基板部１０の各凹部１３に配置すべき粒状菓子Ｃの配色パターンを示す下絵３１と、ベース体２と重ね合わせる位置を示す位置決めマーク３２とが印刷されたものである。なお、図４の下絵シート３０は一例にすぎず、本実施例の粒状菓子ケース１には、様々な図柄に対応した下絵シート３０が複数種類が付属している。また、図４の下絵シート３０は、配置すべき粒状菓子Ｃの色が二種類であるが、基板部１０上には三色の粒状菓子Ｃを配置することもできる。
【００２９】
下絵シート３０を使用する場合は、図４，５に示すように、ベース体２の四隅を位置決めマーク３２に合わせるようにして、粒状菓子ケース１を下絵シート３０の上に載せる。かかる状態では、透明な基板部１０を介して下絵３１を透かし見ることができるから、図５に示すように、基板部１０の各凹部１３の下には、配置すべき粒状菓子Ｃの色が下絵３１によって示されることとなる。したがって、下絵シート３０を使用する場合は、各凹部１３の下に表れる色と同色の粒状菓子Ｃを配置していくことで、下絵３１に描かれた図柄を粒状菓子Ｃによって容易に描くことができる。
【００３０】
上述のようにして、図柄を描くように基板部１０上に整列配置した粒状菓子Ｃは、上述のように、粒状菓子ケース１を閉鎖状態に変換することで、基板部１０上に保持することができる。閉鎖状態であっても、粒状菓子Ｃの描く図柄は、透明なカバー板部２０を介して視認可能であるため、例えば、図６に示すように、ストラップ３５をストラップ用貫通孔１６（図２参照）に取り付ければ、図柄を描くように粒状菓子Ｃを収容した粒状菓子ケース１を、カバン等にぶら下げて装飾具として使用することができる。
【００３１】
粒状菓子ケース１から粒状菓子Ｃを取り出す場合は、図７に示すように、カバー板部２０を閉鎖位置αと開放位置βとの間に位置させた状態で、粒状菓子ケース１を傾けることが望ましい。カバー板部２０を閉鎖位置αと開放位置βの間に位置させた状態では、基板部１０からカバー板部２０が退避した部分で粒状菓子Ｃが取出可能となり、カバー板部２０が退避していない部分の粒状菓子Ｃは、カバー板部２０と基板部１０に挟まれて凹部１３に保持されるため、粒状菓子Ｃで描いた図柄全体が損なわれないようにしながら、粒状菓子Ｃを少しずつ取り出すことができる。
【００３２】
以上のように、本実施例の粒状菓子ケース１によれば、粒状菓子Ｃを整列配置することで意匠性の高い図柄を形成して、該図柄を視認可能な状態で持ち運ぶことができる。このため、本実施例の粒状菓子ケース１は、単なる粒状菓子Ｃのケースとしてだけでなく、装飾具としても使用することができる。また、子供等に、粒状菓子Ｃを並べて独自の図柄を描かせるようにすれば、子供の創造意欲を刺激する玩具としても用いることができる。本実施例の粒状菓子ケース１は、当然ながら、粒状菓子Ｃの商品パッケージとしても使用できる。本実施例の粒状菓子ケース１に粒状菓子Ｃを入れて販売すれば、粒状菓子Ｃの形成する図柄によって、既存の粒状菓子ケースに比べて意匠性を向上させて、顧客吸引力を高めることが可能となる。
【００３３】
また、本実施例の粒状菓子ケース１は、カバー板部２０を、基板部１０との間隔を保ったまま、閉鎖位置αと開放位置βとに移動させることにより、開放状態と閉鎖状態とに変換するよう構成されているため、カバー板部２０を閉鎖位置αと開放位置βの間に位置させることにより、粒状菓子Ｃで描いた図柄全体が損なわれないよう保持しながら、少しずつ粒状菓子Ｃを取り出すことができるという利点がある。
【００３４】
また、本実施例の粒状菓子ケース１は、基板部１０の上に、球形状の粒状菓子Ｃを六方充填配置状に整列配置させ得るように凹部１３が形成されているから、基板部１０の上に粒状菓子Ｃを緊密に配置して、粒状菓子Ｃによって意匠性の高い図柄を描くことができるという利点がある。
【００３５】
また、本実施例の粒状菓子ケース１はベース体２が透明であり、基板部１０の裏側を透かし見ることができるため、基板部１０の裏側に下絵３１を配置して、下絵３１を参考にして粒状菓子Ｃを基板部１０に配置することができる。そして、このように、下絵を使用すれば、粒状菓子Ｃを基板部１０に速やかに配置可能となり、粒状菓子Ｃの置き間違えも少なくできる。また、同じ図柄を繰り返し製造するのも容易となる。
【００３６】
特に、本実施例の粒状菓子ケース１には、下絵３１と位置決めマーク３２が記載された下絵シート３０が複数付属しているため、比較的低年齢の子供でも、下絵シート３０を選択して用いることによって、意匠性の高い図柄を粒状菓子Ｃによって容易に形成できるという利点がある。
【００３７】
なお、本考案における粒状菓子ケースは、上記実施例の形態に限らず本考案の要旨を逸脱しない範囲内において種々変更を加えることができる。例えば、本考案の粒状菓子ケースには、下絵シートの位置がずれないように下絵シートの外周部を保持する枠を設けるようにしてもよい。
【符号の説明】
【００３８】
１  粒状菓子ケース
２  ベース体
３  カバー体
１０  基板部
１１ａ，１１ｂ，１１ｃ，１１ｄ  側壁部
１２  収容部
１３  凹部
１４  係合部
１５  摺動溝
１６  ストラップ用貫通孔
２０  カバー板部
２１ａ，２１ｂ  案内板部
２２  摺動突起
２３  係合部
３０  下絵シート
３１  下絵
３２  位置決めマーク
３５  ストラップ
Ｃ  粒状菓子
α  閉鎖位置
β  開放位置
【図１】
0003189567.tif 000003
【図２】
0003189567.tif 000004
【図３】
0003189567.tif 000005
【図４】
0003189567.tif 000006
【図５】
0003189567.tif 000007
【図６】
0003189567.tif 000008
【図７】
0003189567.tif 000009